(57)【要約】  【課題】防草シートを備えた境界ブロックを舗装路に敷設する工事の際に、工事現場で防草シートをコンクリートブロック部に止着する必要が無く、防草シートが被覆しようとする路面を容易に施工できる境界ブロックを提供する。  【解決手段】境界ブロック１は、コンクリートブロック部２の側面に止着している防草シート３の一端部以外の残余部分が、コンクリートブロック部２の下端まで垂れ下がらないように捲り上げた、捲り上げ状態を保持する保持手段を備えている。【選択図】図２
2011099230.tif 000002
【特許請求の範囲】
【請求項１】
舗装路の境界に敷設されて当該舗装路を第１の区域と第２の区域とに区分する境界ブロックにおいて、
前記境界ブロックは、第１の区域側に臨む第１側面と第２の区域側に臨む第２側面とを有するコンクリートブロック部と、該コンクリートブロック部の第１側面と第２側面との少なくとも一方の側面に一端を止着して残余の部分を垂れ下げてコンクリートブロック部と区分された区域との境界を被覆可能な防草シートと、を備え、
該防草シートは、当該防草シートの前記残余の部分がコンクリートブロック部の下端まで垂れ下がらないように捲り上げた捲り上げ状態を保持する保持手段を備えたことを特徴とする境界ブロック。
【請求項２】
前記保持手段は、防草シートが止着側の一端から下方に垂れ下がった状態で前記側面に対向する前記残余部分の一方の面に形成された粘着層により構成され、
コンクリートブロック部を所定位置に載置して舗装路を舗装する工事中は、前記残余部分を捲り上げて粘着層の粘着力により当該捲り上げ状態を保持し、舗装工事後に前記粘着層を一端剥離させて前記残余部分を垂れ下げてから該残余部分を前記側面から舗装路の表面に亘って延ばして粘着層により貼着可能としたことを特徴とする請求項１に記載の境界ブロック。
【請求項３】
前記保持手段は、コンクリートブロック部上にその幅方向に亘って掛け渡し可能な中間部と、該中間部の両端部から下方に延設した脚部とを有する挟持具により構成され、防草シートの前記残余部分を捲り上げてコンクリートブロック部側に沿わせ、この状態で前記脚部により防草シートを挟み付けて保持可能としたことを特徴とする請求項１に記載の境界ブロック。
【発明の詳細な説明】
【技術分野】
【０００１】
本発明は、車道や歩道などの境界に敷設される境界ブロックに関するものであり、詳しくは、境界ブロックに接する舗装路との境界に雑草が生えることを防止する防草シートを止着した構造を有する境界ブロックに関する。
【背景技術】
【０００２】
舗装路をその目的によって区分する境界、例えば車道と歩道の境界には、コンクリート製の境界ブロックが連続設置されている。この境界ブロックと舗装路のアスファルトが接する境界には、僅かな間隙があり、この間隙に雨水で流れてきた土砂が堆積して、雑草などの植物が育成することが少なくない。また、アスファルト舗装前に路盤などに混入した植物の根や種が、アスファルト舗装後にアスファルトと境界ブロックの間隙から、発芽成長することもある。
【０００３】
そこで、コンクリートブロック部に防草シートを止着した境界ブロックが開発されている。この境界ブロックは、アスファルトと境界ブロックの間隙を防草シートにより被覆するか、或いは防草シートをアスファルトの下に敷くことにより、植物が育成するのを防ぐものであった。例えば、特許文献１では、防草シートの一端部をコンクリートブロック部に接着手段を用いて密接して取り付けた境界ブロックが開示されており、コンクリートブロック部を載置して路盤を施工した後、コンクリートブロック部に止着している防草シートの他端部を路盤の上に敷き、その後、さらに、アスファルトを敷設する旨が開示されている。この構造では、アスファルト舗装前に路盤に含まれていた雑草の種子や根が、舗装後、発芽し上に伸びようとするが、防草シートによって遮断されているため地表に出ることができずに枯れ死する。また、アスファルト舗装後に地表から間隙に進入した種子が発根しようとする場合にも、防草シートに阻まれて成長できない。
【先行技術文献】
【特許文献】
【０００４】
【特許文献１】特開平８−６０６３２号公報
【発明の概要】
【発明が解決しようとする課題】
【０００５】
ところで、この境界ブロックでは、コンクリートブロック部を載置し、防草シートが被覆しようとする層（アスファルトまたは路盤）を施工した後に、防草シートの端部をコンクリートブロック部へ止着するか、または、コンクリートブロック部の成型時に、防草シートの端部をあらかじめ止着しておく必要があった。
【０００６】
しかし、コンクリートブロック部を載置し、防草シートが被覆しようとする層を施工した後に、防草シートの端部をコンクリートブロック部へ止着する場合には、工事現場で作業を行わなければならず、工事現場での作業工程が増えて面倒である。
【０００７】
一方、コンクリートブロック部に防草シートの端部をあらかじめ止着した場合には、コンクリートブロック部から防草シートが垂れ下がっているため、コンクリートブロック部を載置した後で、防草シートが被覆しようとする層を施工する時に、防草シートが施工の妨げになる。そのため、施工時には、防草シートの他端部を上に持ち上げておくという作業が必要になり、作業が煩雑であった。
【０００８】
本発明は、このような事情に鑑みてなされたものであり、その目的は、防草シートを備えた境界ブロックを舗装路に敷設する工事の際に、工事現場で防草シートをコンクリートブロック部に止着する必要が無く、防草シートが被覆しようとする路面を容易に施工できる境界ブロックを提供することにある。
【課題を解決するための手段】
【０００９】
本発明は、前記目的を達成するために提案されたものであり、請求項１に記載のものは、舗装路の境界に敷設されて当該舗装路を第１の区域と第２の区域とに区分する境界ブロックにおいて、
前記境界ブロックは、第１の区域側に臨む第１側面と第２の区域側に臨む第２側面とを有するコンクリートブロック部と、該コンクリートブロック部の第１側面と第２側面との少なくとも一方の側面に一端を止着して残余の部分を垂れ下げてコンクリートブロック部と区分された区域との境界を被覆可能な防草シートと、を備え、
該防草シートは、当該防草シートの前記残余の部分がコンクリートブロック部の下端まで垂れ下がらないように捲り上げた捲り上げ状態を保持する保持手段を備えたことを特徴とする境界ブロックである。
【００１０】
請求項２に記載のものは、前記保持手段が、防草シートが止着側の一端から下方に垂れ下がった状態で前記側面に対向する前記残余部分の一方の面に形成された粘着層により構成され、
コンクリートブロック部を所定位置に載置して舗装路を舗装する工事中は、前記残余部分を捲り上げて粘着層の粘着力により当該捲り上げ状態を保持し、舗装工事後に前記粘着層を一端剥離させて前記残余部分を垂れ下げてから該残余部分を前記側面から舗装路の表面に亘って延ばして粘着層により貼着可能としたことを特徴とする請求項１に記載の境界ブロックである。
【００１１】
請求項３に記載のものは、前記保持手段が、コンクリートブロック部上にその幅方向に亘って掛け渡し可能な中間部と、該中間部の両端部から下方に延設した脚部とを有する挟持具により構成され、防草シートの前記残余部分を捲り上げてコンクリートブロック部側に沿わせ、この状態で前記脚部により防草シートを挟み付けて保持可能としたことを特徴とする請求項１に記載の境界ブロックである。
【発明の効果】
【００１２】
本発明によれば、次のような優れた効果を発揮する。
本発明の境界ブロックは、第１の区域側に臨む第１側面と第２の区域側に臨む第２側面とを有するコンクリートブロック部と、該コンクリートブロック部の第１側面と第２側面との少なくとも一方の側面に一端を止着して残余の部分を垂れ下げてコンクリートブロック部と区分された区域との境界を被覆可能な防草シートと、を備え、該防草シートは、当該防草シートの前記残余の部分がコンクリートブロック部の下端まで垂れ下がらないように捲り上げた捲り上げ状態を保持する保持手段を備えているので、工事現場において、防草シートをコンクリートブロック部へ止着する作業を別途行う必要がなく、また、境界ブロックを載置した後で防草シートが被覆しようとする路面を施工する時に、防草シートが施工の妨げにならない。したがって、防草シートを備えた境界ブロックを敷設する工事において、作業の煩雑化を回避できる。
【図面の簡単な説明】
【００１３】
【図１】第１の実施形態の境界ブロックを示す斜視図である。
【図２】図１に示す境界ブロックの断面図である。
【図３】境界ブロックに止着した防草シートがアスファルトとの境界を被覆した状態を示す概略断面図である。
【図４】両方の側面に防草シートを止着して保護シートで保持した境界ブロックの断面図である。
【図５】防草シートを挟持具により保持した境界ブロックの断面図である。
【図６】一方の側面にのみ防草シートを止着して保護シートで保持した境界ブロックの断面図である。
【図７】成型したコンクリートブロック部に防草シートを後から固定する方法を示す説明図である。
【図８】第１の区域と第２の区域で高さの異なる路面を被覆する防草シートを同じ高さに止着した境界ブロックの断面図である。
【図９】第１の区域と第２の区域で高さの異なる路面を被覆する防草シートをそれぞれ高さを異ならせて止着した境界ブロックの断面図である。
【発明を実施するための形態】
【００１４】
以下、本発明を実施するための最良の形態について図面に基づいて説明する。
図１は、第１の実施形態の境界ブロック１を示す斜視図であり、図２は図１に示す境界ブロック１の断面図である。また、図３は境界ブロック１に止着した防草シート３がアスファルト７との境界を被覆した状態を示す概略断面図である。
【００１５】
境界ブロック１は、舗装路を第１の区域と第２の区域（例えば車道と歩道）を区分する境界に沿って連続して複数配設されるブロックであり、前記境界に敷設されるコンクリートブロック部２と、コンクリートブロック部２の第１の区域側に臨む第１側面と第２の区域側に臨む第２側面との少なくとも一方の側面に止着された防草シート３とから概略構成されている。
【００１６】
この防草シート３は、コンクリートブロック部２の側面に止着している一端部以外の残余の部分を垂れ下げた状態において、コンクリートブロック部２と区分された区域との境界を被覆可能である長さに設定されている。また、前記境界ブロック１は、防草シート３の前記残余部分が、コンクリートブロック部２の下端まで垂れ下がらないように捲り上げた、捲り上げ状態を保持する保持手段を備えている。
【００１７】
コンクリートブロック部２は、図１及び図２に示すように、断面が概ね凸状になるように、コンクリートブロック部２の下端に突出部８を設けている。この突出部８は、上面が路面と略面一になるように、コンクリートブロック部２の側面から湾曲部９を介して延設している。このため、舗装路に敷設した際に、この湾曲部９によって、雨水をスムーズに流すことができ、土砂を堆積し難くすることができる。
【００１８】
また、防草シート３は、コンクリートブロック部２の側面にそれぞれ同じ高さになるように、各側面に一端部を埋め込む状態で止着されている。この防草シート３は、コンクリートブロック部２と舗装路の境界にある間隙６を被覆できるように、コンクリートブロック部２の止着位置よりも下方の側面から湾曲部９に沿って突出部８の先端までの長さに、予想される間隙６の寸法と舗装路表面に確実に止着するための長さを加算した長さに設定されており、この間隙６を被覆することで、植物が育成するのを防ぐことができる。さらに、この防草シート３は、防草シート３の幅方向（コンクリートブロック２の長手方向）の少なくとも一端部に、例えば１００ｍｍ程度、幅方向外方へコンクリートブロック部２から突き出した拡幅部１０が形成されている。この拡幅部１０は、隣接する防草シート３との重ね代として使用する部分であり、相隣接する防草シート３の間に切れ目が生じるのを防止することができる。なお、第１の実施形態では、防草シート３の幅方向の一端部に拡幅部１０を形成しているが、これに限るものではなく、防草シート３の幅方向の両端部に拡幅部１０を形成してもよい。
【００１９】
ここで、防草シート３は、例えば、遮光性、耐腐食性、耐熱性及び非透水性を有するものが望ましい。遮光性を有するのは、防草シート３の下部に混入した植物に光を通さないようにするためであり、非透水性を有するのは、防草シート３の下の間隙６内に水が入らないようにするためである。
【００２０】
このコンクリートブロック部２に止着された防草シート３の一端部以外の残余部分は、止着側の一端部から下方に垂れ下がった状態において、コンクリートブロック部２の側面に対向する面（施工した後の防草シート３を延ばした状態でアスファルト７に対向する面）に、粘着後に耐水性を有する粘着層４が形成されている。そして、コンクリートブロック部２を所定位置に載置して舗装路を舗装する工事中は、前記残余部分を捲り上げて前記粘着層４の粘着力により、この捲り上げた状態を保持している。詳しくは、図２に示すように、それぞれの防草シート３を側面に沿うように上部に捲り上げた状態で、両防草シート３の粘着層４を上から被覆するように再剥離が可能な保護シート５を、一側面から他側面へコンクリートブロック部２の上部を掛け渡すように取り付けている。そのため、両方の側面の防草シート３が下方に垂れようとする力を、粘着層４と保護シート５の間の粘着力を通して、保護シート５にかかる力をつり合わせることで、捲り上げ状態を保持することができる。また、この粘着層４は、舗装工事後に保護シート５から一旦剥離し、防草シート３の残余部分を垂れ下げ、この残余部分を表面から軽く押圧すると、コンクリートブロック部２の側面から舗装路の表面に亘って延ばした状態で粘着力により貼着させることが可能である。
【００２１】
次に、第１の実施形態の境界ブロック１の製造方法について説明する。コンクリートブロック部２の成型には、型枠（図示せず）が用いられる。この型枠内に、コンクリートブロック部２に止着すべき防草シート３の一端部をあらかじめ入れておき、前記防草シート３の一端部以外の残余部分は、コンクリートブロック部２に止着しないように、型枠から出しておく。その後、型枠内にコンクリートを流し込み、そのままの状態で所定時間養生した後、型枠からコンクリートブロック部２を取り出すことで、コンクリートブロック部２に防草シート３を止着することができる。
【００２２】
ここで、防草シート３の粘着層４は、あらかじめ防草シート３に塗布しておいてもよいし、コンクリートブロック部２に防草シート３を止着した後で塗布してもよい。また、防草シート３の一端部は、アンカーなどの止め具（図示せず）を用いたり、コンクリートと親和性のよい接着剤などを用いたり、コンクリートブロック部２内に埋め込まれた補強筋１１に係止したりして、強固に止着することもできる。
【００２３】
そして、コンクリートブロック部２に止着していない防草シート３の残余部分を、両方の側面からそれぞれコンクリートブロック部２の側面に沿うように上部に捲り上げた状態で、粘着層４を保護しながら、コンクリートブロック部２の上部を掛け渡すように、保護シート５を取り付ければ、図１、２に示す境界ブロック１を製造することができる。
【００２４】
次に、上記の如く製造した境界ブロック１を、舗装路のそれぞれ同じ高さにある第１の区域と第２の区域の境界に置設する手順を、図３を参照して説明する。まず、境界ブロック１の防草シート３を捲り上げた状態で、コンクリートブロック部２を路盤１２の上に載置し、アスファルト７を敷設する。この時、防草シート３は捲り上げた状態なので、アスファルト７の敷設作業の妨げにならない。その後、防草シート３の捲り上げた状態を保持している保護シート５を剥離することによって、図３に示すように、防草シート３がコンクリートブロック部２の側面に沿って垂れ下がり、アスファルト７とコンクリートブロック部２の間隙６を被覆する状態とし、この状態で防草シート３を粘着層４によって、アスファルト７の表面に貼着する。したがって、境界ブロック１を載置した後でアスファルト７を敷設する時に、防草シート３が作業の妨げにならず、また、アスファルト７を施工した後で、防草シート３をコンクリートブロック部２に止着具等によって別途止着する必要が無いため、防草シート３を備えた境界ブロック１を敷設する工事において、作業の煩雑化を回避することができる。
【００２５】
次に、第２の実施形態の境界ブロック１について説明する。図４は第２の実施形態の境界ブロック１の断面図である。この場合も、第１の実施形態と同様に、コンクリートブロック部２の側面に、防草シート３がそれぞれ同じ高さになるように両方の側面から一端部を埋め込む状態で止着されている。このコンクリートブロック部２に止着していない防草シート３の残余部分は、上部に捲り上げ、その上端部を下に折り曲げて粘着層４をコンクリートブロック部２の側面に向け、この粘着層４の粘着力をもって、コンクリートブロック部２の側面に貼着している。また、コンクリートブロック部２とは反対側に向いた粘着層４を保護する保護シート５を被せ、この保護シート５の上端部分をコンクリートブロック部２の上部に固定することで、防草シート３の捲り上げた状態を保持している。
【００２６】
この第２の実施形態の境界ブロック１の製造方法は、防草シート３の一端部をコンクリートブロック部２に止着するところは、第１の実施形態と同じである。そして、コンクリートブロック部２に止着していない防草シート３の残余部分を上部に捲り上げ、上端部を下に折り曲げるとともに、上端部に形成されている粘着層４をコンクリートブロック部２の側面に貼着する。この状態で、コンクリートブロック部２の側面に貼着していない粘着層４に保護シート５を取り付け、この保護シート５の一端部をコンクリートブロック部２の上部に固定することで、図４に示す境界ブロック１を製造することができる。
【００２７】
また、この境界ブロック１を、第１の区域と第２の区域の境界に敷設した構造は、第１の実施形態の場合と同様である。また、その敷設方法についても、境界ブロック１を載置し、防草シート３が被覆する層を施工するところは同様である。その後、保護シート５を剥離し、コンクリートブロック部２の側面に貼着している防草シート３の一端部を剥離することで、第１の実施形態の場合と同じく、防草シート３がコンクリートブロック部２に沿って垂れ下がり、アスファルト７とコンクリートブロック部２の間隙６を被覆するとともに、防草シート３は粘着層４によって、アスファルト７の表面に貼着する。よって、この場合も、第１の実施形態の場合と同様の効果が得られる。
【００２８】
前記した両実施形態では、粘着層４と保護シート５を利用して防草シート３の捲り上げた状態を保持したが、これに限るものでなく、例えば、図５に示す第３の実施形態のように挟持具１４を用いてもよい。この場合も、第１の実施形態と同様に、コンクリートブロック部２の側面に、防草シート３がそれぞれ同じ高さになるように両方の側面から一端部を埋め込む形で止着している。このコンクリートブロック部２に止着していない防草シート３の残余部分を、上部に捲り上げてコンクリートブロック部２の側面に沿わせ、この状態で残余部分の粘着層４を保護する保護シート５の上から、挟持具１４の脚部で挟み付けることにより、防草シート３を捲り上げた状態で保持している。この挟持具１４は、コンクリートブロック部２上にその幅方向に亘って掛け渡し可能な長さを有する中間部と、該中間部の両端部から下方に延設した脚部とを有するコ字状の止め具であり、弾性のあるプラスチック材などにより成型されている。
【００２９】
この第３の実施形態の境界ブロック１の製造方法は、防草シート３の一端部をコンクリートブロック部２に止着する工程までは、第１の実施形態と同じである。そして、このコンクリートブロック部２に止着していない防草シート３の残余部分は、保護シート５を貼り付けた後で上部に捲り上げられ、この残余部分を保護シート５の上から挟持具１４で挟み付けることにより、図５に示す境界ブロック１を製造することができる。
【００３０】
また、第３の実施形態の境界ブロック１を、第１の区域と第２の区域の境界に敷設した構造は、第１の実施形態の場合と同様である。また、その敷設方法についても、境界ブロック１を載置し、防草シート３が被覆する層を施工するところは同様である。その後、保護シート５を剥離時に、防草シート３を挟みつけている挟持具１４を外すことで、第１の実施形態の場合と同じく、防草シート３がコンクリートブロック部２に沿って垂れ下がり、アスファルト７とコンクリートブロック部２の間隙６を被覆するとともに、防草シート３は粘着層４によって、アスファルト７に貼着する。よって、この場合も、第１の実施形態の場合と同様の効果が得られる。なお、挟持具１４は、繰り返して使用することも可能である。
【００３１】
さらに、上記第１〜３の実施形態の境界ブロック１を敷設した舗装路では、第１の区域と第２の区域の両方の側面に防草シート３を被覆したが、どちらか片方の区域のみに防草シート３を被覆してもよい。この場合は、一方の側面にのみ防草シート３を止着し、捲り上げ状態を保持した境界ブロック１を用いる。この境界ブロック１は、第２の実施形態のように側面に防草シート３を止着するか、第３の実施形態のように挟持具１４を用いて防草シート３を止着するか、或いは、図６のように、防草シート３に取り付けた保護シート５をコンクリートブロック部２の上部に適宜の方法で固定することによって、コンクリートブロック部２の一方の側面にのみ、防草シート３を捲り上げた状態で保持することができる。
【００３２】
また、防草シート３は、コンクリートブロック部２を成型時に止着するものに限らず、成型した後に止着することもできる。この場合は、図７に示すように、コンクリートブロック部２の幅に亘って溝状の凹欠部１３を設けたコンクリートブロック部２を先に成型しておき、その後、防草シート３の一端部を、接着剤などの適宜の接着手段を用いて凹欠部１３に接着する。
【００３３】
また、第１の区域と第２の区域の路面の高さが違う場合でも、本発明の境界ブロック１を用いることができる。図８のように、路面の高さが高い方の区域では、防草シート３の一端部をコンクリートブロック部２へ止着した箇所と、アスファルト７の上面が略面一になっているため、防草シート３はそこから水平に延在している。また、これに限らず、アスファルト７の上面が、防草シート３止着箇所より下方の場合は、防草シート３をコンクリートブロック部２の側面に沿わせてから、アスファルト７との境目を被覆すればよい。
【００３４】
さらに、第１の区域と第２の区域の路面の高さが違う場合、防草シート３の止着箇所と、コンクリートブロック部２の突出部８の厚みを変えてもよい。図９のように、路面の高さが高い方の区域では、防草シート３の一端部をコンクリートブロック部２へ止着した箇所を高くし、突出部８の上面がアスファルト７の上面と略面一になるように、突出部８の厚みも厚くしている。そして、この突出部８は、コンクリートブロック部２の側面との間に湾曲部９を成型しているため、路面の高さが高い方の区域でも、この湾曲部９によって、雨水をスムーズに流すことができ、土砂を堆積し難くすることができる。
【００３５】
また、本発明の実施形態に示す境界ブロック１の形状や、境界ブロック１を敷設した舗装路の構造は、上記だけに限らず、防草シート３で被覆しようとする区域や層、路面の高さ等の防草シート３を止着した境界ブロック１を敷設しようとする舗装路に応じて適宜に選択されるものである。
【符号の説明】
【００３６】
１  境界ブロック
２  コンクリートブロック部
３  防草シート
４  粘着層
５  保護シート
６  間隙
７  アスファルト
８  突出部
９  湾曲部
１０  拡幅部
１１  補強筋
１２  路盤
１３  凹欠部
１４  挟持具
【図１】
2011099230.tif 000003
【図２】
2011099230.tif 000004
【図３】
2011099230.tif 000005
【図４】
2011099230.tif 000006
【図５】
2011099230.tif 000007
【図６】
2011099230.tif 000008
【図７】
2011099230.tif 000009
【図８】
2011099230.tif 000010
【図９】
2011099230.tif 000011